(57)【要約】      （修正有）【課題】プレイヤーが実際の状況に応じてシャフトとクラブヘッドの角度を変えることができるため、ショットの効果を高められるゴルフのクラブヘッドの構造を提供する。【解決手段】クラブヘッドの本体１に、シャフトを連結させるためのシャフトキャップ２を設け、シャフトキャップには偏心構造を設け、シャフトキャップの内部には脱落防止ねじを埋め込んで設け、本体の後部におけるシャフトキャップと対応する部分には凹溝１３を設け、凹溝に固定ねじを収容し、ワッシャーとシャフトキャップ内部の脱落防止ねじとによって螺合し、シャフトキャップを位置決めした状態にする。以上の構造により、固定ねじをゆるめた後、シャフトキャップを回転されることにより、シャフトとクラブヘッドの角度を変えることができ、ショットの効果を高められる。【選択図】図１
0003160119.tif 000002
【実用新案登録請求の範囲】
【請求項１】
本体と、シャフトキャップと、脱落防止ねじとによって構成し、
本体の一側端を延伸させて中空の連結部を形成させ、連結部には基準マークを設け、本体の後部の底側における連結部と対応する部分には凹溝を設け、凹溝を連結部の中空と貫通状態にし、
シャフトキャップは丸棒状にし、シャフトキャップの上側に大きな外径をもつヘッド部を形成させ、ヘッド部には直線の角度位置標線を設け、ヘッド部の下には小さい外径をもつ管部を設け、管部の下側は延伸させて偏心管を形成させ、
脱落防止ねじはシャフトキャップの内部に埋め込んで設け、固定ねじとワッシャーを凹溝に進入させてシャフトキャップの脱落防止ねじに螺合することで、シャフトキャップと本体を固く結合させることを特徴とする、自在に角度を変えることが可能なゴルフのクラブヘッドの構造。
【考案の詳細な説明】
【技術分野】
【０００１】
本考案は自在に角度を変えることが可能なゴルフのクラブヘッドの構造に関し、特にシャフトとクラブヘッドの角度を簡単に変えることができるゴルフのクラブヘッドの構造に関する。
【背景技術】
【０００２】
ゴルフは、長きに渡り、多くの人に親しまれている運動の一つである。ゴルフのスコアを伸ばすためには、高いショットの技術以外に、良い道具選びも必要となる。ゴルフクラブの構造に関して言うと、一般的には、クラブヘッドの本体端面にフェースが設けられるとともに、本体の一側が延伸して形成された突起状の連結管により、クラブヘッドとシャフトが連結され、シャフトの上端にはグリップが設けられ、グリップを握り、体の回転を利用してシャフトを移動させることにより、フェースによりボールが打ち出される。この時、正確な姿勢以外に、シャフトとクラブヘッドの角度も、ショットの正確性に関係する。従来のゴルフクラブは、クラブヘッドとシャフトはくっつけて結合された状態になっており、別の言い方をすると、シャフトとクラブヘッドの角度は固定されていて変えることができない。しかし、ショットを打つ時の状況はホールによって異なるため、需要に応じてシャフトとクラブヘッドの角度を変えることができるようにすることは、プレイヤーに更に良い技術を発揮させることにつながる。従って、シャフトとクラブヘッドの角度を変えることができるようにすることは、業者が積極的に取り組むべき課題である。  
【考案の概要】
【考案が解決しようとする課題】
【０００３】
本考案は、プレイヤーが実際の状況に応じてシャフトとクラブヘッドの角度を変えることができるため、ショットの効果を高められるゴルフのクラブヘッドの構造を提供することを目的とする。
【課題を解決するための手段】
【０００４】
本考案によるゴルフのクラブヘッドの構造は、クラブヘッドの本体の一側端を延伸させて連結部を形成させ、連結部には、シャフトを連結させるためのシャフトキャップを設け、シャフトキャップには偏心構造を設け、シャフトキャップの内部には脱落防止ねじを埋め込んで設け、さらにシャフトキャップの上側の大きい外径をもつヘッド部に角度位置標線を設け、連結部に基準マークを設け、本体の後部におけるシャフトキャップと対応する部分には凹溝を設け、凹溝に固定ねじを収容し、ワッシャーとシャフトキャップ内部の脱落防止ねじとによって螺合し、シャフトキャップを位置決めした状態にする。以上の構造により、固定ねじをゆるめた後、シャフトキャップを回転されることにより、シャフトとクラブヘッドの角度を変えることができ、ショットの効果を高められる。
【図面の簡単な説明】
【０００５】
【図１】本考案の一実施形態の斜視図である。
【図２】本考案の一実施形態の分解図である。
【図３】本考案の一実施形態の断面図である。
【図４】本考案の一実施形態におけるシャフトの回転を示した説明図である。
【考案を実施するための形態】
【０００６】
まず、図１、図２、図３を参照する。本考案は、主に、本体１と、シャフトキャップ２と、脱落防止ねじ３とによって構成する。本体１の一側端は延伸して中空状の連結部１１を形成し、連結部１１には基準マーク１２を設け、本体１の後部の底側における連結部１１と対応する部分に凹溝１３を設け、凹溝１３は、連結部１１の中空と貫通状態にする。また、シャフトキャップ２は丸棒状にし、シャフトキャップ２の上側は大きな外径をもつヘッド部２１にし、ヘッド部２１には直線の角度位置標線２２を設け、ヘッド部２１下は延伸して小さい外径をもつ管部２３を形成し、管部２３の外径は本体１の連結部１１の中空部分にちょうど差し込める大きさにし、管部２３の下側は延伸して偏心管２４を形成させる。脱落防止ねじ３は、管部２３の下方に埋め込んで設けるとともに、偏心管２４に進入させる。さらに、固定ねじ４とワッシャー４１を凹溝１３から進入させ脱落防止ねじ３に螺合することで、シャフトキャップ２と本体１は固く結合された状態になる。当然ながら、シャフトキャップ２上には、グリップを具えたシャフト（図示せず）を連結し、完全なゴルフクラブを形成させる。
【０００７】
シャフトキャップ２は、脱落防止ねじ３を埋め込み、さらに固定ねじ４を用いて本体１の連結部１１に螺合する。この構造により、固定ねじ４を回転させてゆるめると、シャフトキャップ２は回転可能な状態になる。シャフトキャップ２の下側の偏心管２４は偏心構造になっており、シャフトキャップ２が回転するに従い、シャフトキャップ２上方に連結されたシャフトの角度は変わるため、プレイヤーは、個人のショットの方法や、状況や地形に応じて最適な角度を選択することができ、ショットの正確性が高まるとともに、それに伴い自然にショットの效果も向上する。また、角度の量の調整は、シャフトキャップ２の角度位置標線２２及び連結部の基準マーク１２によって設定することができ、図４に示すように、角度位置標線２２と基準マーク１２の位置ずれの量によって、角度の変更の大きさを決定する。また、シャフトキャップ２の内部には脱落防止ねじ３が埋め込まれているため、固定ねじ４で螺合した後、シャフトが本体１から外れたりすることがなく、安全に使用することができる。
【符号の説明】
【０００８】
１      本体          
１１        連結部        
１２        基準マーク
１３        凹溝
２      シャフトキャップ          
２１        ヘッド部          
２２        角度位置標線
２３        管部          
２４        偏心管
３      脱落防止ねじ
４      固定ねじ      
４１        ワッシャー
【図１】
0003160119.tif 000003
【図２】
0003160119.tif 000004
【図３】
0003160119.tif 000005
【図４】
0003160119.tif 000006